(57)【要約】【課題】レベルの低い衛星放送信号を受信する際に、レベルの高い衛星放送信号によって増幅器がゲインコンプレッションを引き起こしてレベルの低い衛星放送信号を十分に増幅できなくなることを簡単な構成によって避ける。【解決手段】屋外のダウンコンバータからケーブルを介して入力された中間周波帯の複数の衛星放送信号を増幅する増幅器７と、この増幅器７の次段に設けられ、衛星放送信号を復調するＩＱ復調器８とを少なくとも備え、衛星放送信号を開閉手段６又は中間周波帯における高域側の衛星放送信号を通過するフィルタ５のいずれかを介して増幅器７に入力するように構成した。【選択図】　　　　図１
2004048123.tif 000002
【特許請求の範囲】
【請求項１】
屋外のダウンコンバータからケーブルを介して入力された中間周波帯の複数の衛星放送信号を増幅する増幅器と、前記増幅器の次段に設けられ、前記衛星放送信号を復調するＩＱ復調器とを少なくとも備え、前記衛星放送信号を開閉手段又は前記中間周波帯における高域側の衛星放送信号を通過するフィルタのいずれかを介して前記増幅器に入力するように構成したことを特徴とする衛星放送受信チューナ。
【請求項２】
前記フィルタをハイパスフィルタによって構成したことを特徴とする請求項１に記載の衛星放送受信チューナ。
【請求項３】
前記フィルタをバンドパスフィルタによって構成し、前記バンドパスフィルタの通過帯域をシフトできるように構成したことを特徴とする請求項１に記載の衛星放送受信チューナ。
【請求項４】
少なくとも前記開閉手段と前記増幅器と前記ＩＱ復調器とを構成した集積回路を設け、前記フィルタを前記開閉手段に並列に接続するための端子を前記集積回路に設けたことを特徴とする請求項１乃至３のいずれかに記載の衛星放送受信チューナ。
【発明の詳細な説明】
【０００１】
【発明の属する技術分野】
本発明は、屋外のダウンコンバータによって中間周波帯に変換された衛星放送信号を選局する衛星放送受信チューナに関する。
【０００２】
【従来の技術】
従来の衛星放送受信チューナ（以下、ＢＳチューナという）を図４によって説明する。屋外のダウンコンバータ（図示せず）によっておよそ０．９５ＧＨｚ〜２．１５ＧＨｚの中間周波帯に変換された複数チャンネルの衛星放送信号はケーブル（図示せず）によって屋内に引き込まれ、ＢＳチューナの入力端（ＩＮ）を介してバンドパスフィルタ２１に入力される。バンドパスフィルタ２１は上記の０．９５ＧＨｚ〜２．１５ＧＨｚの通過帯域を有する。
【０００３】
バンドパスフィルタ２１には初段増幅器２２、分配器２３が順次接続される。分配器２３の一方の出力端には次段増幅器２４が接続される。次段増幅器２４は可変利得増幅器によって構成され、ＡＧＣ電圧によって利得制御される。次段増幅器２４によって増幅された衛星放送信号はＩＱ復調器２５に入力される。ＩＱ復調器２５には図示しない発振器から受信すべき衛星放送の信号と同じ周波数の搬送波が入力され、受信すべき衛星放送信号は此と混合されて位相が直交する二つのベースバンド信号（Ｉ信号、Ｑ信号）に変換される。従って、ＩＱ復調器２５によって受信すべき衛星放送信号が選局される。上記ＡＧＣ電圧は復調されたベースバンド信号に基づいて生成される。
【０００４】
分配器２３の他方から出力される衛星放送信号は屋内の他のＢＳチューナに入力される。
【０００５】
【発明が解決しようとする課題】
上記構成では、屋外のダウンコンバータと屋内のＢＳチューナとの距離が長くなるとケーブルによる信号損失が大きくなる。そこで、損失を補正するためにブースターアンプがケーブルの途中に挿入される。また、途中で他のＢＳチューナにも入力する際には分配器が挿入される。このような状態ではブースターアンプや分配器の周波数特性がケーブルの周波数特性に加算されてＢＳチューナに入力される中間周波帯における低域側の衛星放送信号のレベルに対して高域側のレベルがかなり低下し、その差が数１０ｄＢほどになる場合がある。
【０００６】
このような状態でレベルの低い高域側の衛星放送信号を受信すると、レベルの高い低域側の衛星放送信号によって次段増幅器２４が飽和状態となってゲインコンプレッションを引き起こし、高域側の衛星放送信号を十分に増幅することができず、復調されたベースバンド信号のレベル不足を来すという問題が発生する。
【０００７】
この問題を解決するには分配器２３と次段増幅器２４との間に、通過帯域が中間周波帯の全域内でシフト可能なバンドパスフィルタを設ければ良いが、このような広範囲にわたる通過帯域のシフトが可能なバンドパスフィルタを構成するのは困難である。
【０００８】
本発明は、レベルの低い衛星放送信号を受信する際に、レベルの高い衛星放送信号によって増幅器がゲインコンプレッションを引き起こしてレベルの低い衛星放送信号を十分に増幅できなくなることを簡単な構成によって避ける。
【０００９】
【課題を解決するための手段】
上記の課題を解決するため、屋外のダウンコンバータからケーブルを介して入力された中間周波帯の複数の衛星放送信号を増幅する増幅器と、前記増幅器の次段に設けられ、前記衛星放送信号を復調するＩＱ復調器とを少なくとも備え、前記衛星放送信号を開閉手段又は前記中間周波帯における高域側の衛星放送信号を通過するフィルタのいずれかを介して前記増幅器に入力するように構成した。
【００１０】
また、前記フィルタをハイパスフィルタによって構成した。
【００１１】
また、前記フィルタをバンドパスフィルタによって構成し、前記バンドパスフィルタの通過帯域をシフトできるように構成した。
【００１２】
また、少なくとも前記開閉手段と前記増幅器と前記ＩＱ復調器とを構成した集積回路を設け、前記フィルタを前記開閉手段に並列に接続するための端子を前記集積回路に設けた。
【００１３】
【発明の実施の形態】
本発明の衛星放送受信チューナ（以下、ＢＳチューナと略す）を図１によって説明する。屋外のダウンコンバータ（図示せず）によっておよそ０．９５ＧＨｚ〜２．１５ＧＨｚの中間周波帯に周波数変換された複数チャンネルの衛星放送信号はケーブル（図示せず）によって屋内に引き込まれ、ＢＳチューナの入力端（ＩＮ）を介してバンドパスフィルタ１に入力される。バンドパスフィルタ１は上記の０．９５ＧＨｚ〜２．１５ＧＨｚの通過帯域を有する。
【００１４】
バンドパスフィルタ１には初段増幅器２、分配器３が順次接続される。分配器３の一方の出力端には可変アッテネータ４が接続される。可変アッテネータ４は受信する衛星放送信号のレベルによって制御される。可変アッテネータ４の次段には開閉手段６が設けられ、開閉手段６にはフィルタ５が並列に接続可能になっている。フィルタ５はバンドパスフィルタあるいはハイパスフィルタによって構成され、少なくとも中間周波帯の所定周波数以上の衛星放送信号を通過するように構成される。
【００１５】
例えば、フィルタ５がバンドパスフィルタによって構成された場合は、通過帯域が所定周波数以上の範囲の受信すべき衛星放送信号の周波数に対応してシフト可能に構成される。開閉手段６は通常はＯＮ（閉）となっているが、所定周波数以上の衛星放送信号を受信するときにオフ（開）となるように制御される。
【００１６】
開閉手段６及びフィルタ５の次段には二段目の増幅器（次段増幅器）７が設けられ、その次段にはＩＱ復調器８が設けられる。次段増幅器７によって増幅された衛星放送信号はＩＱ復調器８に入力される。ＩＱ復調器８には図示しない発振器から受信すべき衛星放送の信号と同じ周波数の搬送波が入力され、受信すべき衛星放送信号は此と混合されて位相が直交する二つのベースバンド信号（Ｉ信号、Ｑ信号）に変換される。従って、ＩＱ復調器８によって受信すべき衛星放送信号が選局される。上記可変アッテネータ４は復調されたベースバンド信号に基づいて生成されるＡＧＣ電圧によって制御される。
【００１７】
一方、分配器３の他方から出力される衛星放送信号は屋内の他のＢＳチューナに入力される。
【００１８】
以上の構成において、ＢＳチューナの入力端（ＩＮ）に入力される０．９５ＧＨｚ〜２．１５ＧＨｚ帯の衛星放送信号のレベルは図２に示すように低域側（Ｌｆ）のチャンネルで高く高域側（Ｈｆ）のチャンネルで低いのが一般的である。その理由はケーブルによる信号損失が周波数特性を有するだけでなく、その途中に設けられたブースターアンプや分配器の周波数特性が加算されるためである。
【００１９】
そこで、レベルが低くなる所定周波数以上の高域側の衛星放送信号を受信するときには開閉手段６をオフとして、可変アッテネータ４から出力される衛星放送信号をフィルタ５を介して次段増幅器７に入力する。すると、レベルの高い低域側（Ｌｆ）の衛星放送信号はフィルタ５によって減衰し、次段増幅器７に入力される時点でレベルが低下する。この結果、次段増幅器７は低域側の衛星放送信号によって動作が飽和状態になることが無くいわゆるゲインコンプレッションが引き起こされない。よって、レベルの低い高域側の衛星放送信号を復調した際のベースバンド信号のレベル不足を来すことがない。
【００２０】
なお、高域側の衛星放送信号を受信するときには開閉手段をＯＮとする。また、入力端（ＩＮ）に入力される衛星放送信号のレベルが上記の中間周波帯の全域でほぼ均一であると判断された場合には開閉手段６をＯＮ状態とし、フィルタ５を接続する必要はない。
【００２１】
図３は図１に示す構成のうち初段増幅器２以降を集積回路（ＩＣ）１０内に構成し、フィルタ５を接続するための端子を集積回路１０に設けた。すなわち、集積回路１０には入力端子１０ａ、出力端子１０が設けられる。入力端子１０ａにはＢＳチューナの入力端（ＩＮ）に入力された衛星放送信号がバンドパスフィルタ１を介して入力される。また、分配器３の他方の出力端は集積回路１０の出力端子１０ｂに接続される。出力端子１０ｂには外部に設けられたバンドパスフィルタ１１が接続され、分配出力はバンドパスフィルタ１１を介してＢＳチューナの出力端（ＯＵＴに出力される。
【００２２】
分配器３と次段増幅器７との間には開閉手段６が設けられる。そして、分配器３の一方の出力端と開閉手段６との接続点が集積回路１０に設けられたフィルタ接続端子１０ｃに接続される。同様に、開閉手段６と次段増幅器７との接続点が集積回路１０に設けられたフィルタ接続端子１０ｄに接続される。二つの端子１０ｃ、１０ｄ間にフィルタ５を接続すれば開閉手段６に並列に接続される。そして、次段増幅器７の次にＩＱ復調器８が設けられる。この構成では図１の可変アッテネータ４は集積回路１０内に構成されず、代わりに次段増幅器７が可変利得増幅器によって構成される。次段増幅器７はＡＧＣ電圧によって利得制御される。
【００２３】
【発明の効果】
以上説明したように、本発明の衛星放送受信チューナは、屋外のダウンコンバータからケーブルを介して入力された中間周波帯の複数の衛星放送信号を増幅する増幅器と、この増幅器の次段に設けられ、衛星放送信号を復調するＩＱ復調器とを少なくとも備え、衛星放送信号を開閉手段又は中間周波帯における高域側の衛星放送信号を通過するフィルタのいずれかを介して増幅器に入力するように構成したので、レベルが低くなる所定周波数以上の高域側の衛星放送信号を受信するときには開閉手段をオフとして、衛星放送信号をフィルタを介して増幅器に入力する。すると、レベルの高い低域側の衛星放送信号はフィルタによって減衰し、増幅器に入力される時点でレベルが低下する。この結果、増幅器は低域側の衛星放送信号によって動作が飽和状態になることが無くいわゆるゲインコンプレッションが引き起こされない。よって、レベルの低い高域側の衛星放送信号を復調した際のベースバンド信号のレベル不足を来すことがない。
【００２４】
また、フィルタをハイパスフィルタによって構成したので、レベルの低い高域側の衛星放送信号を受信する際は開閉手段をオフとするだけでレベルの高い低域側の衛星放送信号を自動的に抑圧できる。
【００２５】
また、フィルタをバンドパスフィルタによって構成し、バンドパスフィルタの通過帯域をシフトできるように構成したので、受信すべき衛星放送信号の下側のみならず上側の衛星放送信号も抑圧できるので、妨害を受けにくくなる。
【００２６】
また、少なくとも開閉手段と増幅器とＩＱ復調器とを構成した集積回路を設け、フィルタを開閉手段に並列に接続するための端子を集積回路に設けたので、中間周波帯における低域側の衛星放送信号のレベルが大きくて増幅器のゲインコンプレッションを引き起こす可能性がある場合はフィルタを接続し、高域側の衛星放送信号の受信時に開閉手段をオフとすることでゲインコンプレッションを避けられる。また、低域側の衛星放送信号のレベルがそれほど大きくなければフィルタを接続することなく開閉手段をＯＮとするだけでよい。
【図面の簡単な説明】
【図１】本発明の衛星放送受信チューナの構成を示す回路図である。
【図２】本発明の衛星放送受信チューナに入力される衛星放送信号のレベル図である。
【図３】本発明の衛星放送受信チューナの他の構成を示す回路図である
【図４】従来の衛星放送受信チューナの構成を示す回路図である。
【符号の説明】
１　バンドパスフィルタ
２　初段増幅器
３　分配器
４　可変アッテネータ
５　フィルタ
６　開閉手段
７　次段増幅器
８　ＩＱ復調器
１０　集積回路
１０ａ　入力端子
１０ｂ　出力端子
１０ｃ、１０ｄ　フィルタ接続端子
１１　バンドパスフィルタ
【図１】
2004048123.tif 000003
【図２】
2004048123.tif 000004
【図３】
2004048123.tif 000005
【図４】
2004048123.tif 000006